(57)【要約】【課題】  使用の前後を通じて美観に優れた吸水処理材を提供する。【解決手段】  吸水処理材１は、液体を吸収する吸水処理材であり、粒状芯部１０、被覆層部２０及び色料３０を備えている。粒状芯部１０は、吸水性を有し、粒状に成形されている。被覆層部２０は、粒状芯部１０を覆っている。色料３０は、粒状芯部１０又は被覆層部２０に含有されている。色料３０は、水分と反応して、粒状芯部１０を構成する芯部材料又は被覆層部２０を構成する被覆材料を所定の色に着色する。吸水処理材１が液体を吸収する前、未反応状態又は不完全反応状態にある色料３０が視認可能である。また、吸水処理材１が液体を吸収した後、色料３０により着色された芯部材料又は被覆材料が視認可能である。【選択図】  図１
2016039795.tif 000002
【特許請求の範囲】
【請求項１】
液体を吸収する吸水処理材であって、
吸水性を有し、粒状に成形された粒状芯部と、
前記粒状芯部を覆う被覆層部と、
前記粒状芯部又は前記被覆層部に含有され、水分と反応して、前記粒状芯部を構成する芯部材料又は前記被覆層部を構成する被覆材料を所定の色に着色する色料と、を備え、
当該吸水処理材が前記液体を吸収する前、未反応状態又は不完全反応状態にある前記色料が視認可能であり、
当該吸水処理材が前記液体を吸収した後、前記色料により着色された前記芯部材料又は前記被覆材料が視認可能であることを特徴とする吸水処理材。
【請求項２】
請求項１に記載の吸水処理材において、
当該吸水処理材が前記液体を吸収する前、視認可能な前記色料の全てが、前記未反応状態又は前記不完全反応状態にある吸水処理材。
【請求項３】
請求項２に記載の吸水処理材において、
当該吸水処理材が前記液体を吸収する前、前記色料の全てが、前記未反応状態又は前記不完全反応状態にある吸水処理材。
【請求項４】
請求項１乃至３の何れかに記載の吸水処理材において、
当該吸水処理材が前記液体を吸収する前、前記未反応状態又は前記不完全反応状態にある前記色料は、点状の模様として視認可能である吸水処理材。
【請求項５】
請求項４に記載の吸水処理材において、
前記点状の模様は、当該吸水処理材の略全面に渡って視認可能である吸水処理材。
【請求項６】
請求項１乃至５の何れかに記載の吸水処理材において、
当該吸水処理材が前記液体を吸収した後、当該吸水処理材の表面において、前記色料により着色された前記芯部材料又は前記被覆材料が視認可能な領域の面積は、当該表面全体の面積の１０％以上３０％未満である吸水処理材。
【請求項７】
請求項１乃至５の何れかに記載の吸水処理材において、
当該吸水処理材が前記液体を吸収した後、当該吸水処理材の表面において、前記色料により着色された前記芯部材料又は前記被覆材料が視認可能な領域の面積は、当該表面全体の面積の３０％以上である吸水処理材。
【請求項８】
請求項７に記載の吸水処理材において、
当該吸水処理材が前記液体を吸収した後、前記色料により着色された前記芯部材料又は前記被覆材料は、当該吸水処理材の略全面に渡って視認可能である吸水処理材。
【請求項９】
請求項１乃至８の何れかに記載の吸水処理材において、
前記色料は、粉末の状態で、前記粒状芯部又は前記被覆層部に直接的に含有されている吸水処理材。
【請求項１０】
請求項１乃至８の何れかに記載の吸水処理材において、
前記色料は、シリカゲルに担持された状態で、前記粒状芯部又は前記被覆層部に当該シリカゲルを介して含有されている吸水処理材。
【請求項１１】
請求項１乃至１０の何れかに記載の吸水処理材において、
前記色料は、前記粒状芯部及び前記被覆層部の双方に含有されている吸水処理材。
【請求項１２】
請求項１１に記載の吸水処理材において、
前記粒状芯部に含有された前記色料は、第１の色を有し、
前記被覆層部に含有された前記色料は、前記第１の色とは異なる第２の色を有し、
当該吸水処理材は、前記液体を吸収した後、前記第１の色と前記第２の色との混色を呈する吸水処理材。
【請求項１３】
請求項１乃至１２の何れかに記載の吸水処理材において、
当該吸水処理材が前記液体を吸収すると、前記粒状芯部及び前記被覆層部は、共に崩壊し、互いに混合する吸水処理材。
【請求項１４】
請求項１乃至１３の何れかに記載の吸水処理材において、
前記粒状芯部の粒径を１としたとき、当該吸水処理材の粒径は、１．１３以下である吸水処理材。
【請求項１５】
請求項１乃至１４の何れかに記載の吸水処理材において、
前記芯部材料は、吸水性材料及び接着性材料からなる吸水処理材。
【請求項１６】
請求項１５に記載の吸水処理材において、
前記芯部材料のうち、前記吸水性材料の占める重量割合は７０％以上９５％以下であり、前記接着性材料の占める重量割合は５％以上３０％以下である吸水処理材。
【請求項１７】
請求項１５又は１６に記載の吸水処理材において、
前記吸水性材料は、紙類、プラスチック類及びオカラからなる群より選ばれる少なくとも１つの材料である吸水処理材。
【請求項１８】
請求項１５乃至１７の何れかに記載の吸水処理材において、
前記接着性材料は、澱粉、デキストリン、ＣＭＣ及び吸水性ポリマーからなる群より選ばれる少なくとも１つの材料である吸水処理材。
【請求項１９】
請求項１８に記載の吸水処理材において、
前記接着性材料は、前記吸水性ポリマーを含んでおり、
当該吸水性ポリマーの平均粒径は、２０μｍ以下である吸水処理材。
【発明の詳細な説明】
【技術分野】
【０００１】
本発明は、人又は動物の排泄物その他の液体を吸収する吸水処理材に関する。
【背景技術】
【０００２】
特許文献１には、吸水処理材の一種である排泄物処理材が記載されている。同文献に記載された排泄物処理材は、パルプを含んで構成される核部と、核部を被覆する被覆層とを備えている。被覆層には、顔料又は染料が含有されている。この排泄物処理材は、排尿を吸収すると、顔料等の色が露見するように構成されている。すなわち、顔料等の色は、使用前（排尿吸収前）には排泄物処理材の内部に隠れていて視認できないが、使用後（排尿吸収後）には排泄物処理材の表に現れて視認可能となる。それにより、使用前の排泄物処理材と使用後の排泄物処理材とを視覚的に区別しやすくなる。
【先行技術文献】
【特許文献】
【０００３】
【特許文献１】特開２０１４−８０４６号公報
【発明の概要】
【発明が解決しようとする課題】
【０００４】
ところで、排尿吸収時に顔料等の色が露見することは、排泄物処理材の外観に模様や色彩を与えるため、使用後における排泄物処理材の美観の向上にも資する。しかしながら、特許文献１に記載の排泄物処理材において、使用前は、顔料等が排泄物処理材の内部に隠れており、当該排泄物処理材の美観に寄与しない。このことは、従来の吸水処理材における使用前の美観の向上を妨げる要因であった。
【０００５】
本発明は、上記課題に鑑みてなされたものであり、使用の前後を通じて美観に優れた吸水処理材を提供することを目的とする。
【課題を解決するための手段】
【０００６】
本発明による吸水処理材は、液体を吸収する吸水処理材であって、吸水性を有し、粒状に成形された粒状芯部と、上記粒状芯部を覆う被覆層部と、上記粒状芯部又は上記被覆層部に含有され、水分と反応して、上記粒状芯部を構成する芯部材料又は上記被覆層部を構成する被覆材料を所定の色に着色する色料と、を備え、当該吸水処理材が上記液体を吸収する前、未反応状態又は不完全反応状態にある上記色料が視認可能であり、当該吸水処理材が上記液体を吸収した後、上記色料により着色された上記芯部材料又は上記被覆材料が視認可能であることを特徴とする。
【０００７】
この吸水処理材においては、液体吸収時に、色料が当該液体と反応し、芯部材料又は被覆材料に所定の色を与える。そして、当該芯部材料又は被覆材料の色が視認されることにより、使用前後の吸水処理材を視覚的に区別しやすくなるとともに、使用後の吸水処理材の美観が向上する。しかも、液体吸収前においても、未反応状態又は不完全反応状態にある色料が視認可能である。このため、使用前の吸水処理材においても、色料が当該吸水処理材の美観に寄与する。
【発明の効果】
【０００８】
本発明によれば、使用の前後を通じて美観に優れた吸水処理材を実現することができる。
【図面の簡単な説明】
【０００９】
【図１】本発明による吸水処理材の一実施形態を示す模式図である。
【図２】図１の吸水処理材における液体吸収後の様子を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。  
【００１１】
図１は、本発明による吸水処理材の一実施形態を示す模式図である。吸水処理材１は、液体を吸収する吸水処理材であり、粒状芯部１０、被覆層部２０及び色料３０を備えている。吸水処理材１は、例えば、猫や犬等の愛玩動物用の排泄物処理材である。
【００１２】
粒状芯部１０は、粒状に成形されている。粒状芯部１０の形状としては、例えば、球、楕円体、円柱が挙げられる。粒状芯部１０は、吸水性を有しており、尿等の液体を吸水及び保水する機能を有する。本実施形態において粒状芯部１０を構成する材料（芯部材料）は、吸水性材料及び接着性材料からなる。芯部材料のうち、吸水性材料の占める重量割合は７０％以上９５％以下であり、接着性材料の占める重量割合は５％以上３０％以下であることが好ましい。
【００１３】
吸水性材料としては、例えば、紙類、プラスチック類及びオカラからなる群より選ばれる少なくとも１つの材料を好適に用いることができる。紙類は、パルプを主体とする材料をいう。紙類としては、例えば、通常の紙の他にも、塩ビ壁紙分級物（塩ビ壁紙を分級することにより得られる紙）、フラッフパルプ、製紙スラッジ、パルプスラッジ等が挙げられる。プラスチック類として、例えば、紙おむつ分級物（紙おむつを分級することにより得られるプラスチック）を用いてもよい。これらの材料は、１ｍｍ以下（好ましくは０．５ｍｍ以下、より好ましくは０．３ｍｍ以下）の粒度に粉砕されて用いられる。
【００１４】
接着性材料としては、例えば、澱粉、デキストリン、ＣＭＣ（カルボキシメチルセルロース）及び吸水性ポリマーからなる群より選ばれる少なくとも１つの材料を好適に用いることができる。吸水性ポリマーの平均粒径は、２０μｍ以下であることが好ましい。ここで、平均粒径とは、多数の粒子の集合体である吸水性ポリマーを篩にかけたときに、５０重量％以上の粒子が通過できる最小の目開きをいう。したがって、平均粒径が２０μｍ以下であるとは、吸水性ポリマーを目開き２０μｍの篩にかけたときに、５０重量％以上の粒子が通過できるということである。
【００１５】
被覆層部２０は、粒状芯部１０を覆っている。被覆層部２０は、粒状芯部１０の表面の全体を覆っていてもよいし、粒状芯部１０の表面の一部のみを覆っていてもよい。この被覆層部２０は、使用時に尿等の液体を吸収した吸水処理材１どうしを付着させて固まりにする機能を有する。被覆層部２０を構成する材料（被覆材料）としても、上述の吸水性材料及び接着性材料を用いることができる。吸水処理材１が液体を吸収する前、粒状芯部１０は、被覆層部２０を通じて視認可能である。粒状芯部１０の粒径を１としたとき、吸水処理材１の粒径は、１．１３以下であることが好ましい。
【００１６】
色料３０は、粒状芯部１０及び被覆層部２０に含有されている。色料３０は、水分と反応して、芯部材料及び被覆材料を所定の色に着色する。色料３０としては、例えば、染料、顔料、チョーク粉等を用いることができる。色料３０は、粉末の状態で、粒状芯部１０に直接的に含有されている。
【００１７】
本実施形態において色料３０は、色料３２（第１の色料）及び色料３４（第２の色料）からなる。色料３２及び色料３４は、それぞれ粒状芯部１０及び被覆層部２０に含有されている。色料３２は第１の色を有し、色料３４は第１の色とは異なる第２の色を有している。
【００１８】
吸水処理材１においては、使用前すなわち吸水処理材１が液体を吸収する前、未反応状態又は不完全反応状態にある色料３０の少なくとも一部が視認可能である。詳細には、未反応状態又は不完全反応状態にある色料３２のうち粒状芯部１０の表面近傍に存在するもの（粒状芯部１０と被覆層部２０との境界に存在するものも含む。）、及び未反応状態又は不完全反応状態にある色料３４が、吸水処理材１の外部から直接に又は透けて見える。
【００１９】
ここで、未反応状態とは、色料３０が水分と全く反応していない状態をいう。また、不完全反応状態とは、色料３０が水分と僅かに反応した状態をいう。かかる状態は、製造工程において、芯部材料又は被覆材料に含まれる水分に色料３０が触れることにより偶発的に引き起こされるものである。水分と反応した色料３０により着色された領域が直径１ｍｍの球内にとどまるときは、当該色料３０は不完全反応状態にあるといえる。
【００２０】
未反応状態又は不完全反応状態にある色料３０は、吸水処理材１の使用前、図１に示したとおり、点状の模様として視認可能である。本実施形態において、かかる点状の模様は、吸水処理材１の略全面に渡って視認可能である。
【００２１】
吸水処理材１の使用前、視認可能な色料３０の全てが、未反応状態又は不完全反応状態にあることが好ましい。特に吸水処理材１に含有された色料３０の全てが未反応状態又は不完全反応状態にあれば、より好ましい。
【００２２】
また、吸水処理材１においては、使用後すなわち吸水処理材１が液体を吸収した後、色料３０により着色された、芯部材料及び被覆材料が視認可能である。詳細には、吸水処理材１が液体を吸収すると、色料３０が当該液体と反応し、それにより芯部材料及び被覆材料が部分的又は全体的に着色される。そして、図２に示すように、芯部材料及び被覆材料における着色された領域４０の少なくとも一部が、吸水処理材１の外部から直接に又は透けて見える。このとき、色料３２により第１の色に着色された芯部材料、及び色料３４により第２の色に着色された被覆材料が共に見えることにより、吸水処理材１は、第１の色と第２の色との混色を呈する。
【００２３】
なお、芯部材料は専ら色料３２により着色されるが、水分と反応した色料３４が粒状芯部１０に浸透することにより、芯部材料の一部が色料３４により着色されてもよい。その場合、当該部分は、第２の色、又は第１の色と第２の色との混色に着色されることになる。同様に、被覆材料は専ら色料３４により着色されるが、水分と反応した色料３２が被覆層部２０に浸透することにより、被覆材料の一部が色料３２により着色されてもよい。その場合、当該部分は、第１の色、又は第１の色と第２の色との混色に着色されることになる。
【００２４】
吸水処理材１の使用後、吸水処理材１の表面において、色料３０により着色された芯部材料又は被覆材料が視認可能な領域の面積（以下「着色面積」という。）は、吸水処理材１の表面全体の面積（表面積）の１０％以上であることが好ましい。色料３０により着色された芯部材料又は被覆材料は、吸水処理材１の略全面に渡って視認可能であってもよい。
【００２５】
吸水処理材１の効果を説明する。吸水処理材１においては、液体吸収時に、色料３０が当該液体と反応し、芯部材料又は被覆材料に所定の色を与える。そして、当該芯部材料又は被覆材料の色が視認されることにより、使用前後の吸水処理材１を視覚的に区別しやすくなるとともに、使用後の吸水処理材１の美観が向上する。しかも、液体吸収前においても、未反応状態又は不完全反応状態にある色料３０が視認可能である。このため、使用前の吸水処理材１においても、色料３０が当該吸水処理材１の美観に寄与する。すなわち、視認可能な色料３０により、使用前の吸水処理材１の外観に模様や色彩が与えられるため、当該吸水処理材１の美観が向上する。したがって、使用の前後を通じて美観に優れた吸水処理材１が実現されている。
【００２６】
未反応状態又は不完全反応状態にある色料３０は、吸水処理材１の使用前、点状の模様として視認可能である。これにより、使用前の吸水処理材１はドット柄を有するように見えるため、当該吸水処理材１の美観の向上に効果的である。特に本実施形態においては、点状の模様が吸水処理材１の略全面に渡って視認可能である。これにより、どの角度からでも吸水処理材１のドット柄を確認することができる。
【００２７】
吸水処理材１の使用前、視認可能な色料３０の全てが未反応状態又は不完全反応状態にある場合、これらの色料３０は、略同じ大きさの点ないし円として見える。これにより、吸水処理材１の外観に統一感の高い模様を与えることができる。
【００２８】
また、この場合、吸水処理材１が液体を吸収すると、これらの色料３０が一斉に当該液体と反応することになるため、使用後の吸水処理材１における着色斑を小さく抑えることができる。これにより、使用後の吸水処理材１の外観は、色合いが綺麗でかつ彩度が高いものとなる。特に吸水処理材１に含有された色料３０の全てが未反応状態又は不完全反応状態にある場合、使用後の吸水処理材１における着色斑を一層小さく抑えることができる。
【００２９】
吸水処理材１の使用後、色料３０により着色された芯部材料又は被覆材料が視認可能であることは、上述のとおり、使用前後の吸水処理材１の区別を容易にするとともに、使用後の吸水処理材１の美観を向上させる。かかる効果を充分に引き出す観点から、使用後の吸水処理材１の表面における着色面積は、表面積の１０％以上であることが好ましい。着色面積が表面積の３０％以上である場合、着色部分の視認性が向上する。特に着色された芯部材料又は被覆材料が吸水処理材１の略全面に渡って視認可能である場合、どの角度からでも着色を確認することができる。
【００３０】
着色面積が表面積の１０％以上３０％未満である場合、使用後の吸水処理材１においては、表面の大部分に、地の色すなわち吸水処理材１の構成材料本来の色が現れることになる。これにより、地の色を活かしつつ、吸水処理材１の外観に、着色による模様や色彩を与えることができる。
【００３１】
色料３０は、粉末の状態で吸水処理材１に直接的に含有されている。これにより、使用前の吸水処理材１において、粉末状（点状）の色料３０を視認しやすくなる。また、液体吸収時、色料３０が当該液体に接触しやすくなり、その反応が促進されるため、使用後の吸水処理材１において鮮明な着色を得るのに有利となる。
【００３２】
色料３０は相異なる色を有する複数の色料３２，３４からなり、使用後の吸水処理材１は、これらの色の混色を呈する。このため、使用前の吸水処理材１においては相異なる複数の色（各色料３２，３４の色）が見えるとともに、使用後の吸水処理材１においてはそれらの色とは異なる色が見える。このことは、使用の前後を通じた吸水処理材１の美観の一層の向上に資する。
【００３３】
芯部材料は、吸水性材料及び接着性材料からなる。したがって、吸水性材料により粒状芯部１０に吸水性を付与するとともに、接着性材料により吸水処理材１の固まり性を高めることができる。ここで、固まり性とは、液体を吸収した複数の吸水処理材１どうしが付着して固まりを形成する性質をいう。
【００３４】
吸水処理材１が充分な固まり性を発揮できるようにする観点から、芯部材料のうち、接着性材料の占める重量割合は５％以上（吸水性材料の占める重量割合は９５％以下）であることが好ましい。他方、接着性材料の割合が大きすぎると、使用後の吸水処理材１内において液体が移動しにくくなり、色料３０の反応の妨げとなり得る。かかる観点から、芯部材料のうち、接着性材料の占める重量割合は３０％以下（吸水性材料の占める重量割合は７０％以上）であることが好ましい。
【００３５】
特に、接着性材料が吸水性ポリマーを含む場合、吸水性ポリマーは、液体を吸収すると膨潤するため、使用後の吸水処理材１内における液体の移動が滞る要因となり得る。この点、吸水性ポリマーは、微粉砕されることにより、液体吸収時の膨潤が抑制される。かかる観点から、吸水性ポリマーの平均粒径は、２０μｍ以下であることが好ましい。
【００３６】
続いて、吸水処理材１の製造方法の一例を説明する。この製造方法は、造粒工程、被覆工程、分粒工程、及び乾燥工程を含んでいる。造粒工程においては、芯部材料を粉砕機で所定の大きさに粉砕し、当該粉砕された芯部材料を色料３２と共に所定の割合でミキサーに投入して混ぜ合わせる。そして、色料３２が混入された芯部材料を造粒機によって押出造粒する。このとき、造粒直後の粒状芯部１０の含水率が１７〜１８％程度となるように、芯部材料中の水分量を調整しておくことが好ましい。これにより、粒状芯部１０が得られる。
【００３７】
被覆工程においては、コーティング装置等を用いて、粒状芯部１０の周囲に、色料３４が混入された被覆材料を付着させる。被覆材料の付着は、例えば、散布又は噴霧により行うことができる。これにより、被覆層部２０が得られる。
【００３８】
分粒工程においては、所定の寸法の篩目を有する篩に、前工程で製造された吸水処理材を通過させる。これにより、所定の規格を満たす吸水処理材のみが抽出される。乾燥工程においては、前工程で抽出された吸水処理材を乾燥機で乾燥させる。乾燥により、粒状芯部１０の含水率を適宜調整する。これにより、粒状芯部１０の水分が被覆層部２０に遷移して吸水能力が低下してしまうのを防ぐとともに、吸水処理材１の保存時にカビ等が発生するのを防ぐことができる。
【００３９】
なお、造粒工程においては、造粒時に芯部材料に加わる圧縮力が小さくなるようにすることが好ましい。かかる圧縮力が大きすぎると、芯部材料中の水分が粒状芯部１０内の広範囲に浸み渡り、それにより使用前の吸水処理材１において色料３０の反応が起こりやすくなってしまうからである。例えば、造粒機のダイスの厚みを小さくすることにより、芯部材料に加わる圧縮力を小さくすることができる。
【００４０】
また、芯部材料及び色料３２の組成の具体例を挙げると、次のとおりである。括弧内の数値は、各材料の重量割合を示している（ただし、色料３２を除いた芯部材料の合計が１００％となるように示している。）。
＜例１＞
パルプ（９０％）
澱粉（１０％）
染料（０．０３％）
＜例２＞
製紙スラッジ（７０％）
デキストリン（２５％）
澱粉（５％）
染料（０．０５％）
＜例３＞
オカラ（５０％）
パルプ（３０％）
澱粉（２０％）
染料（０．０６％）
＜例４＞
紙おむつ分級物（７０％）
デキストリン（１５％）
ＣＭＣ（１０％）
微粉砕された吸水性ポリマー（５％）
染料（０．０５％）
【００４１】
本発明による吸水処理材は、上記実施形態に限定されるものではなく、様々な変形が可能である。上記実施形態においては、色料３０が粒状芯部１０又は被覆層部２０に直接的に含有された例を示した。しかし、色料３０は、粒状芯部１０又は被覆層部２０に間接的に含有されていてもよい。具体的には、色料３０は、シリカゲル等の媒介物に担持された状態で、粒状芯部１０又は被覆層部２０に当該媒介物を介して含有されていてもよい。その場合、使用前の吸水処理材１において、色料３０が水分に触れにくくなるため、偶発的な色料３０の反応を抑制することができる。
【００４２】
上記実施形態においては、使用後も吸水処理材１が崩壊せず、粒状の形状が維持される例を示した。しかし、吸水処理材１が液体を吸収すると、粒状芯部１０及び被覆層部２０が崩壊し、互いに混合するように構成されていてもよい。その場合、使用後の吸水処理材１においては、もはや粒状の形状は維持されない。それにより、粒状の形状が維持される場合に比して、同一体積あたりの表面積が大きくなる（例えば、粒状の形状の典型である球は、同一体積あたりの表面積が最小になる形状である。）。このことは、使用後の吸水処理材１において視認可能な部分の割合が大きくなることを意味する。したがって、使用後の吸水処理材１における着色部分の視認性が向上する。
【００４３】
このように使用後の吸水処理材１が崩壊する場合、当該崩壊により、粒状芯部１０の内部に存在していた未反応状態又は不完全反応状態にある色料３２が露見して視認可能となるように構成されていてもよい。
【００４４】
上記実施形態においては、吸水処理材１の使用前、色料３２及び色料３４の双方が視認可能である例を示した。しかし、色料３２又は色料３４の何れか一方のみが視認可能であってもよい。
【００４５】
上記実施形態においては、粒状芯部１０及び被覆層部２０の双方に色料３０が含有された例を示した。しかし、色料３０は、粒状芯部１０又は被覆層部２０の何れか一方にのみ含有されていてもよい。
【００４６】
上記実施形態においては、粒状芯部１０及び被覆層部２０からなる２層構造の吸水処理材１を例示した。しかし、吸水処理材１は、３層以上の構造を有していてもよい。例えば、被覆層部２０を複層構造とすることにより、３層以上の構造を有する吸水処理材１を実現することができる。
【符号の説明】
【００４７】
１  吸水処理材
１０  粒状芯部
２０  被覆層部
３０  色料
３２  色料（第１の色料）
３４  色料（第２の色料）
【図１】
2016039795.tif 000003
【図２】
2016039795.tif 000004